(57)【特許請求の範囲】
【請求項１】
吊りボルトの側面に挟着する挟着部と、この挟着部から延長される一対の支持片と、これらの支持片を貫通してねじ止めされ支持片相互を緊締する連結ボルトとで構成され、支持片相互間に位置する連結ボルトの側面を滑面状に形成してワイヤーロープを巻き付けるワイヤー捲回部を設け、前記挟着部の吊りボルト挟着面に、吊りボルトのねじ山に係合する係合突起を設け、該係合突起が吊りボルトＰのねじ山に係合したときに、支持片の間隔が一定の間隔となるように設定すると共に、該支持片に、吊りボルトの側面に当接する回転止具を設けたことを特徴とする吊りボルト用ワイヤー支持金具。
【請求項２】
前記支持片の一方の側面に、前記連結ボルトの頭部に係止して連結ボルトの空回りを防止する係止凸部を設けた請求項１記載の吊りボルト用ワイヤー支持金具。
【請求項３】
前記挟着部における吊りボルトの長手方向に沿った側面に、挟着部の屈曲作業を促進せしめる長孔を開穿した請求項１又は２記載の吊りボルト用ワイヤー支持金具。
【発明の詳細な説明】
【０００１】
【発明の属する技術分野】
本発明は、ケーブルラックやレースウェイ等の各種設備を吊りボルトで吊り施工を行う際に、ワイヤーロープを振れ止め材として連結することができる吊りボルト用ワイヤー支持金具に関する。
【０００２】
【従来の技術】
ケーブルラック等を吊りボルトで吊り施工する場合、耐震や風圧による短期荷重に対する補強を目的として振れ止め施工を行なう工事がある。この工事では、振れ止め材として使用する斜材に、ワイヤーロープや全ねじボルトが用いられている。そして、全ねじボルトを斜材として連結する専用の支持金具は既に製品化されている。
【０００３】
一方、ワイヤーロープを斜材として使用する場合、図５に示すアイボルト１０を使用したり、あるいは、全ねじボルト専用の支持金具をワイヤーロープ用に転用したりする施工が行なわれていた（図示せず）。アイボルト１０を使用する場合は、図示のように、サポートチャンネル材２０の端部にアイボルト１０を装着し、このアイボルト１０にワイヤーロープＱを連結するものである。図示例のように、タンバックル３０を使用して連結する他、ワイヤーロープＱをアイボルト１０に直接連結する施工方法もある。
【０００４】
また、全ねじボルト専用の支持金具をワイヤーロープに転用する場合は、支持金具の全ねじボルトを連結する挿通孔に、ワイヤーロープを直線状態で直に連結できるように加工された特殊な連結金具を使用するもので、この特殊な連結金具を端部に装着したワイヤーロープが使用されていた。
【０００５】
【発明が解決しようとする課題】
ところが、図５に示すアイボルト１０を利用してワイヤーロープＱを連結する施工では、サポートチャンネル材２０の端部にアイボルト１０を装着するスペースがない場合や、サポートチャンネル材２０を使用せずに、ケーブルラック等を直吊りする施工の場合には、アイボルト１０の使用ができずワイヤーロープＱを連結することはできない。
【０００６】
一方、全ねじボルトを連結する専用の支持金具をワイヤーロープに転用する場合、この支持金具にワイヤーロープを直線状に連結する特殊な連結金具を備えたワイヤーロープでは問題ないが、これ以外の一般のワイヤーロープを通常の巻き付け作業で連結すると、ワイヤーロープの巻き付け部分に支持金具の角部等が当たり、ワイヤーロープが破損するおそれがある。したがって、全ねじボルト専用の支持金具をワイヤーロープに転用する場合、一般のワイヤーロープを通常の巻き付け作業で連結することができない不都合があった。
【０００７】
そこで、本発明は上述の課題を解消すべく創出されたもので、吊りボルトを用いたどのような施工においても、ワイヤーロープを斜材として連結することができ、しかも、特殊な連結金具をワイヤーロープに備えることなく、一般のワイヤーロープを通常の巻き付け作業で連結することができる吊りボルト用ワイヤー支持金具の提供を目的とするものである。
【０００８】
【課題を解決するための手段】
上述の目的を達成すべく本発明の第１の手段は、吊りボルトＰの側面に挟着する挟部１と、この挟着部から延長される一対の支持片２と、これらの支持片２を貫通してねじ止めされ支持片２相互を緊締する連結ボルト３とで構成され、支持片２相互間に位置する連結ボルト３の側面を滑面状に形成してワイヤーロープＱを巻き付けるワイヤー捲回部３Ａを設け、前記挟着部１の吊りボルトＰ挟着面に、吊りボルトＰのねじ山Ｐ１に係合する係合突起１Ａを設け、該係合突起１Ａが吊りボルトＰのねじ山Ｐ１に係合したときに、支持片２の間隔が一定の間隔となるように設定すると共に、該支持片２に、吊りボルトＰの側面に当接する回転止具２Ｃを設けたことにある。
【０００９】
第２の手段は、支持片２の一方の側面に、前記連結ボルト３の頭部３Ｂに係止して連結ボルト３の空回りを防止する係止凸部２Ａを設けたことにある。
【００１０】
第３の手段は、挟着部１における吊りボルトＰの長手方向に沿った側面に、挟着部１の屈曲作業を促進せしめる長孔１Ｂを開穿したことを課題解消のための手段とする。
【００１１】
【発明の実施の形態】
以下、図面を参照して本発明の実施例を詳細に説明する。本発明は、ワイヤーロープＱを振れ止め材等として使用する際に、このワイヤーロープＱを吊りボルトＰに連結する金具である（図２参照）。この金具の基本構成は、挟着部１と支持片２とが一体に形成され、これら支持片２相互を貫通してねじ止めする連結ボルト３からなる（図１参照）。
【００１２】
挟着部１は、吊りボルトＰの側面に挟着する部位であり、この挟着部１の吊りボルト挟着面に、吊りボルトＰのねじ山Ｐ１に係合する係合突起１Ａを設けている（図１参照）。図示の係合突起１Ａは、屈曲された板状を成す挟着部１の上端部と下端部とから、吊りボルトＰ方向に屈曲した爪状の係合突起１Ａを設けている。そして、挟着部１の間に吊りボルトＰを挟んで圧着した際に、この係合突起１Ａが吊りボルトＰのねじ山Ｐ１に係合して強力に固着できるようにしている（図３参照）。
【００１３】
また、この挟着部１において、吊りボルトＰの長手方向に沿った側面に長孔１Ｂを開穿している（図１参照）。この長孔１Ｂは、挟着部１を屈曲して吊りボルトＰの側面に装着する際に、挟着部１の屈曲作業を容易にすることができる。たとえば、1.6mm厚程度の鋼板を金具として使用した場合に、図示のごとく、左右一対の長孔１Ｂを開穿することで、手指でも容易に屈曲することが可能になる。
【００１４】
支持片２は、この挟着部１から延長された一対の帯板状の部材で、これらの支持片２相互を後述する連結ボルト３で緊締することにより、前記挟着部１が吊りボルトＰ側面に圧着される（図４参照）。図示の支持片２は、側面を貫通する挿通孔２Ｂが開穿され、この挿通孔２Ｂに連結ボルト３を挿通し、連結ナット４にてねじ止めするものである。また、連結ナット４を用いずに、支持片２に開穿したいずれか一方の挿通孔２Ｂに雌ねじ部を設け、連結ボルト３を直接ねじ止めすることも可能である（図示せず）。
【００１５】
更に、支持片２の一方の側面に、前記連結ボルト３の頭部３Ｂに係止して連結ボルト３の空回りを防止する係止凸部２Ａを設けている（図４参照）。また、係止凸部２Ａの形状も図示例に限られず、例えば、支持片２の側面を打ち出して形成したり、あるいは別体の係止凸部２Ａを装着することもできる。
【００１６】
連結ボルト３には、ワイヤーロープＱを巻き付けるワイヤー捲回部３Ａを設けている。このワイヤー捲回部３Ａは、支持片２を貫通した連結ボルト３がねじ止めされたときに、支持片２相互の間に位置する連結ボルト３の側面に設けたもので、連結ボルト３のねじ山を設けずに、滑面状に形成している（図４参照）。このワイヤー捲回部３Ａが支持片２の間に表出するように設定するため、前記係合突起１Ａが吊りボルトＰのねじ山Ｐ１に十分に係合したときに、支持片２の間隔が一定の間隔となるように設定している。
【００１７】
また、この支持片２には、吊りボルトＰに当接する回転止具２Ｃを設けている（図４参照）。この回転止具２Ｃは、ワイヤーロープＱに負荷がかかるに連れて、本発明支持金具が上方に回転するのを防止するもので、回転止具２Ｃが吊りボルトＰの側面に当接することで本発明支持金具の回転を防止する。また、この回転止具２Ｃは、支持片２の強度を高める補強リブの効果も有するものになっている。
【００１８】
【発明の効果】
本発明は、上述の如く構成したことにより、当初の目的を達成した。
【００１９】
すなわち、請求項１に記載の構成により、サポートチャンネル材の端部にアイボルトを装着するスペースがない場合や、サポートチャンネル材を使用せずケーブルラック等を直吊りする施工の場合などのように、どのような施工が選択されてもワイヤーロープＱを斜材として吊りボルトＰに連結することができる。
【００２０】
しかも、支持片２相互間に位置する連結ボルト３の側面を滑面状に形成してワイヤーロープＱを巻き付けるワイヤー捲回部３Ａを設けているので、一般のワイヤーロープＱを巻きつけて固定することが可能になり、ワイヤーロープＱを直線的に連結する特殊な連結金具を備えることなく、一般のワイヤーロープＱを通常の巻き付け作業で連結することができる。
【００２１】
また、挟着部１の吊りボルト挟着面に、吊りボルトＰのねじ山Ｐ１に係合する係合突起１Ａを設け、該係合突起１Ａが吊りボルトＰのねじ山Ｐ１に係合したときに、支持片２の間隔が一定の間隔となるように設定しているから、ワイヤー捲回部３Ａが支持片２の間に表出するものとなっている。
【００２２】
しかも、該支持片２に、吊りボルトＰの側面に当接する回転止具２Ｃを設けているので、ワイヤーロープＱに負荷がかかるに連れて、本発明支持金具が上方に回転するのを防止する。また、この回転止具２Ｃは、支持片２の強度を高める補強リブの効果も有する。この結果、本発明支持金具を吊りボルトＰに対して強力に固定することができる。
【００２３】
更に、支持片２の一方又は両方の側面に、前記連結ボルト３の頭部３Ｂに係止して連結ボルト３の空回りを防止する係止凸部２Ａを設けているから、連結ボルト３のねじ止め作業を容易ならしめている。
【００２４】
そして、挟着部１における吊りボルトＰの長手方向に沿った側面に、挟着部１の屈曲を促進せしめる長孔１Ｂを開穿したことにより、吊りボルトＰに対する挟着部１の挟着作業を容易にしている。
【００２５】
このように本発明によると、吊りボルトを用いたどのような施工においてもワイヤーロープを斜材として連結することができ、しかも、特殊な連結金具をワイヤーロープに備えることなく、一般のワイヤーロープを通常の作業で連結することができる等いった有益な種々の効果を奏するものである。
【図面の簡単な説明】
【図１】  本発明の一実施例を示す斜視図。
【図２】  本発明の使用状態を示す要部斜視図。
【図３】  本発明の挟着部を吊りボルトに固定する状態を示す平面図。
【図４】  本発明の装着状態を示す平面図。
【図５】  従来のワイヤーロープ装着例を示す要部正面図。
【符号の説明】
Ｐ  吊りボルト        Ｐ１  ねじ山
Ｑ  ワイヤーロープ
１  挟着部            １Ａ  係合突起
１Ｂ  長孔
２  支持片            ２Ａ  係止凸部
２Ｂ  挿通孔
２Ｃ  回転止具
３  連結ボルト        ３Ａ  ワイヤー捲回部
３Ｂ  頭部
４  連結ナット
１０  アイボルト
２０  サポートチャンネル材
３０  タンバックル
【図１】
0003726158.tif 000002
【図２】
0003726158.tif 000003
【図３】
0003726158.tif 000004
【図４】
0003726158.tif 000005
【図５】
0003726158.tif 000006